(57)【要約】【課題】  現在、シートをパイプの柱や横架材、あるいは、シート同士を連結紐で結ぶのにシートの端に取付けてある鳩目金具の穴に連結紐を通して連結しているので、この作業は面倒で非能率である。【解決手段】  適宜な板の中央部分に穴を開け、この板に複数の切込み溝を設けてシートの端に取付け、連結紐を挿入して隣接するシート同士を連結するのであるが、板の外周の入り口溝を広くし、鳩目板の外周と中央部分の穴の間を迂回しながら徐徐に狭めて、行き止まりの切り込み溝を適宜に広げたシートの鳩目板であるが、連結紐が外れ難いように切り込み溝の両側に鋸歯状の凹凸を設けると連結紐で強固に連結できる。【選択図】図１０
2008127976.tif 000002
【特許請求の範囲】
【請求項１】
適宜な板の中央部分に穴を開け、この板の外周より穴を残して内側に向かう複数の切込み溝を設けた板をシートの端に取付ける板。（以後鳩目板と言う）
【請求項２】
鳩目板の切り込み溝を設けるのに、連結紐の入口となる外周からの切り込み溝巾を広くして、迂回しながら先端に向かって除除に狭くし、最先端の行き止まりの切り込み溝を適宜に拡大して、この切り込み溝を複数設けた請求項１の鳩目板。
【請求項３】
鳩目板には外周からの複数の切込み溝を設けるが、この切込み溝の両側に連結紐の滑り止めとなる鋸刃状の凹凸を設けた請求項１と請求項２の鳩目板。
【請求項４】
連結紐が外れないように切り込み溝の両側に鋸刃状の滑り止めを設け、さらに、切り込み溝の先端の止め溝に突起を設けた請求項１から請求項３の鳩目板。
【発明の詳細な説明】
【技術分野】
【０００１】
シートの端には、鳩目金具が取付けてあり支持物に止めるのにシートの鳩目金具の穴に連結紐を通して縛っているが鳩目金具に代わりシートの端に鳩目板を取付ける。
【背景技術】
【０００２】
工事現場の周りには、仮設パイプ柱や建物の外側には仮設外部足場を架けシートを張るのであるが、シートの端に鳩目金具が取付けてり鳩目金具の穴に、連結紐を通して仮設柱や足場に縛たり、各シート同士を連結していた。
【特許文献１】特開２００６−２２５２８
【発明の開示】
【発明が解決しようとする課題】
【０００３】
建築現場では危険防止や養生としてシートを張るが、シートの縁に取付けてある鳩目金具の穴に連結紐を通して、仮設柱や仮設足場にシートを連結紐で結んでシートを連結している。この結ぶ作業を鳩目金具の穴に連結紐を通さず、同じ連結紐を使い縛る作業をせず片手で簡単に連結したい。
【課題を解決するための手段】
【０００４】
請求項１は、適宜な板の中央部分に穴を開け、この板の外周より穴を残して内側に向かう複数の切込み溝を設けた鳩目板をシートの周囲に一定の間隔で取付け、各切込み溝に連結紐を差し込めるようにしたことを特徴する鳩目板であるが、鳩目板の中央部分に糸目の穴を開け、糸で鳩目板を取付けても良い。
【０００５】
請求項２は、鳩目板の切り込み溝を設けるのに、連結紐の入口となる外周からの溝巾を広くして迂回しながら先端に向かって除除に狭くして、最先端の切り込み溝を適宜に拡大した鳩目板で外周からの連結紐の入口を拡張溝として、その奥を狭小溝にして、溝の最先端を適宜に広げて止め溝として連結紐が脱落しないようにしたことを特徴する。
【０００６】
請求項３は、鳩目板に外周から内側に向う複数の切込み溝を設けるが、この切込み溝の両側に鋸刃状の凹凸を設けて連結紐の滑り止めとなることを特徴とする。
【０００７】
請求項４は、切り込み溝の両側に連結紐の滑り止めとなる鋸刃状の凹凸を設け、さらに、切り込み溝の先端の止め溝に突起を設けたことを特徴する。
【発明の効果】
【０００８】
仮設柱にシートを張ったり、仮設足場にシートを連結して張るのに隣接する鳩目金具同士を紐で連結して縛っていたが、連結しようとするシートの端に本発明の鳩目板を取付け、鳩目板の切り込み溝に連結紐を食い込ませ巻き付けて各シートを連結したり、シートの鳩目板から仮設柱に連結紐を巻き付けた後、鳩目板に再度絡んでシートを張ることができ連結紐を縛る必要がないので能率が良い。
【発明を実施するための最良の形態】
【０００９】
鳩目板の切り込み溝を設ける位置は自由なので数種類あるが、中央部分の鳩目板穴を残して、鳩目板の外周から内側に迂回しながら切り込み溝を設けた鳩目板をシートの端に一定の間隔で取付け、鳩目板はシートの裏側に取付けリングでシートを挟みシートと一体化させる。
【実施例１】
【００１０】
本発明の鳩目板１をシート６に取付けるには、図４と図５で示す本発明の鳩目板１の鳩目板穴５にシート６の裏側から穴の開いた取付けリング７を結合させてシート６に取付ける。
【００１１】
連結紐１０でシート６同士を連結するのとき、従来の鳩目金具と本発明の鳩目板を図９で説明するが、従来のシート６（図の左側）に取付けてある鳩目金具１１の鳩目金具の穴５１に連結紐１０を結んだ後、図６の本発明の鳩目板１に連結紐１０を拡張溝２aから狭小溝２bを通過させて止め溝２cで止めて鳩目板１の裏側（シート６と鳩目板１の間）に回してから対向する溝の表に連結紐１０を出し、この溝の拡張溝２aから狭小溝２bを通過させて止め溝２cに掛け、再度、対向する切り込み溝に連結紐１０を止め溝２cまで差込、全ての切り込み溝に絡ませて連結する。
【００１２】
切り込み溝が対象型の鳩目板を図７で示すが連結紐１０が外れないように、本発明の鳩目板１に設けてある狭小溝２bの両側を鋸刃状の凹凸にして滑り止め８にし、さらに止め溝２cに突起９を設けた。
【００１３】
従来のシート６に取付けてある鳩目金具の穴５１に、本発明の鳩目板１を連結した図９は、事前に鳩目穴５１に連結紐１０を結んでおき、隣接した鳩目板１の切り込み溝に絡めて連結し、シート６を連結紐１０で連結させた。
【００１４】
本発明の鳩目板を取付けた隣接するシート６同士を連結するとき連結紐１０のずれ（図８）を直すために、図６で示すように複数の中の一個の止め溝２cを図面で見る下方向に設けた本発明の鳩目板１をシート６に取付けると図１０で示すように連結紐１０が水平に連結される。
【００１５】
仮設パイプの柱や横架材のパイプにシート６を張るときは、鳩目板１の切り込み溝に連結紐１０を絡めて柱パイプ、あるいは、横架材パイプに巻き付けた後、連結紐１０を元の鳩目板１の切り込み溝に戻して再度絡める。
【００１６】
シート６を連結した鳩目板から連結紐１０を外すときは、連結紐１０を絡めたときの逆の手順で外していけば良く、本発明の鳩目板が取付けてある片方のシート６の穴５に連結紐１０を通して結んでおくと相手の鳩目板に絡むだけで良く、シート６を連結するのに楽である。
【産業上の利用可能性】
【００１７】
従来のシートを支持物に取付けるのに、鳩目金具の穴に連結紐を通して縛ったり、シート同士を連結するには、両方のシートの鳩目金具の穴に連結紐を通して連結していたが、本発明の鳩目板は、鳩目板からの連結紐を支持物に巻きつけて元の鳩目板に絡ませたり、あるいは、各シートが隣接する相互の鳩目板の切り込み溝に連結紐を絡め合わせるだけでシート６同士を連結できる。
【図面の簡単な説明】
【００１８】
【図１】この発明の図２の上方から小口を見た側面図である。
【図２】この発明の溝を対象型にした平面図である。
【図３】この発明の図２の横方向から小口を見た側面図である
【図４】この発明の図２の下方から小口を見た側面図である。
【図５】この発明の図２のＡ―Ａ’の断面図である。
【図６】この発明において一つの切り込み溝を中心線Ｂ−Ｂ’の下方向かって溝を設けた平面図である。
【図７】この発明の切り込み溝の両側に鋸刃状の凹凸設け、さらに、切り込み溝の奥に突起を設けた平面図である。
【図８】この発明の図２の鳩目板を取付けてあるシートと従来の鳩目金具の付いたシートとを連結紐で連結した正面図で連結紐が斜めに連結される。
【図９】この発明の鳩目板を取付けたシートと従来の鳩目金具を取付けたシートとを連結紐で連結した正面図である。
【図１０】この発明の隣接する鳩目板同士を連結すると連結紐が水平に連結する正面図である。
【符号の説明】
【００１９】
１          鳩目板
２ａ        拡張溝
２ｂ        狭小溝
２ｃ        止め溝
５          鳩目板穴
５１        鳩目金具の穴
５２        取付けリングの穴
６          シート
７          取付けリング
８          滑り止め
９          突起
１０        連結紐
１１        鳩目金具
【図２】
2008127976.tif 000003
【図３】
2008127976.tif 000004
【図４】
2008127976.tif 000005
【図５】
2008127976.tif 000006
【図６】
2008127976.tif 000007
【図７】
2008127976.tif 000008
【図８】
2008127976.tif 000009
【図９】
2008127976.tif 000010
【図１０】
2008127976.tif 000011
【図１】
2008127976.tif 000012